(57)【要約】  本発明は、第１の伝送方式により伝送を行う機器にそれぞれ接続された外部装置間での、第２の伝送方式によるデータ伝送をＦＰＡ行うもので、第１の伝送方式を用いて第１の外部装置と接続される第１の装置と、第１の伝送方式を用いて第２の外部装置と接続される第２の装置と、を有し、第１の装置は、第１の伝送方式と異なる第２の伝送方式を用いて第２の装置と接続されており、第１の装置の第１の伝送方式に対する動作モードと、第２の装置の第１の伝送方式に対する動作モードとが異なるとき、第１の外部装置若しくは第２の外部装置が有しているデータが、第１の装置と第２の装置とを介して、第２の外部装置若しくは第１の外部装置にそれぞれ伝送される。
2017149768.tif 000002
【特許請求の範囲】
【請求項１】
第１の外部装置と第２の外部装置との間でデータを伝送するデータ伝送システムであって、
第１の伝送方式を用いて前記第１の外部装置と接続される第１の装置と、前記第１の伝送方式を用いて前記第２の外部装置と接続される第２の装置と、を有し、
前記第１の装置は、前記第１の伝送方式と異なる第２の伝送方式を用いて前記第２の装置と接続されており、
前記第１の装置の前記第１の伝送方式に対する動作モードと、前記第２の装置の前記第１の伝送方式に対する動作モードとが異なるとき、前記第１の外部装置若しくは前記第２の外部装置が有しているデータが、前記第１の装置と前記第２の装置とを介して、前記第２の外部装置若しくは前記第１の外部装置にそれぞれ伝送されるデータ伝送システム。
【請求項２】
前記第１の外部装置若しくは前記第２の外部装置が有しているデータが、前記第１の装置と前記第２の装置との間を前記第２の伝送方式で伝送される、請求項１記載のデータ伝送システム。
【請求項３】
前記第１の装置は、前記第１の外部装置および/又は前記第２の装置と接続する第１の通信部と、前記第１の通信部の前記第１の伝送方式についての前記動作モードを示す第１の設定信号を前記第１の通信部に出力する設定信号出力部と、を有し、
前記第２の装置は、前記第２の外部装置および/又は前記第１の装置と接続する第２の通信部と、前記第２の通信部の前記第１の伝送方式についての前記動作モードを設定する制御部と、を有し、
前記第１の通信部は、前記第２の通信部に設定される前記動作モードに対応する第２の設定信号を生成して前記第２の通信部に伝送し、
前記制御部は、前記第２の通信部を介して受け取った前記第２の設定信号に応じて、前記第２の通信部の前記動作モードを設定する、請求項１または請求項２に記載のデータ伝送システム。
【請求項４】
前記動作モードは、第１の動作モードおよび第２の動作モードである、請求項１ないし請求項３のいずれか１項に記載のデータ伝送システム。
【請求項５】
前記第１の装置は、
前記第１の動作モードに対応する第１の端子および前記第２の動作モードに対応する第２の端子と、
前記第１の端子および前記第２の端子のうち、前記第１の通信部に設定された動作モードに対応する端子を有効とする第１の端子選択部と、をさらに有し、
前記第２の装置は、
前記第１の動作モードに対応する第３の端子および前記第２の動作モードに対応する第４の端子と、
前記第３の端子および前記第４の端子のうち、前記第２の通信部に設定された動作モードに対応する端子を有効とする第２の端子選択部と、をさらに有する請求項４に記載のデータ伝送システム。
【請求項６】
前記第１の動作モードはＵＳＢ  ＨＯＳＴ機として動作するモードであり、
前記第２の動作モードはＵＳＢ  ＤＥＶＩＣＥ機として動作するモードである、請求項４または５に記載のデータ伝送システム。
【請求項７】
前記第１の装置と前記第２の装置とがＬＡＮケーブルを用いて接続される、請求項１ないし請求項６のいずれか１項に記載のデータ伝送システム。
【請求項８】
前記第２の伝送方式はＨＤＢａｓｅＴであり、前記第１の通信部若しくは前記第２の通信部のいずれか一方がトランスミッタ部、他方はレシーバー部である、請求項３ないし請求項７のいずれか１項に記載のデータ伝送システム。
【請求項９】
前記第１の設定信号と前記第２の設定信号とは同じ信号であり、
前記第２の通信部はレシーバー部であり、
前記制御部は、前記レシーバー部が備えるＧＰＩＯ端子を介して前記第２の設定信号を受け取り、前記第１の伝送方式について前記第２の通信部を前記第２の設定信号が示す動作モードと異なる動作モードにする、請求項８に記載のデータ伝送システム。
【請求項１０】
請求項１なし請求項９のいずれか１項に記載のデータ伝送システムの第１の装置および第２の装置のうち、少なくとも一つの装置が組み込まれたプロジェクタ。
【請求項１１】
第１の外部装置と第２の外部装置との間でデータを伝送するデータ伝送方法であって、
第１の伝送方式を用いて前記第１の外部装置と第１の装置とを接続させ、
前記第１の伝送方式を用いて前記第２の外部装置と第２の装置とを接続させ、
前記第１の伝送方式と異なる第２の伝送方式を用いて前記第１の装置を前記第２の装置と接続させ、
前記第１の装置の前記第１の伝送方式に対する動作モードと、前記第２の装置の前記第１の伝送方式に対する動作モードとが異なるとき、前記第１の外部装置若しくは前記第２の外部装置が有するデータを、前記第１の装置と前記第２の装置とを介して、前記第２の外部装置若しくは前記第１の外部装置にそれぞれ伝送させる、データ伝送方法。
【発明の詳細な説明】
【技術分野】
【０００１】
本発明は、データ伝送システムとプロジェクタ、および、データ伝送方法に関する。
【背景技術】
【０００２】
近年、ＬＡＮ（Ｌｏｃａｌ  Ａｒｅａ  Ｎｅｔｗｏｒｋ）ケーブルを介して接続されたトランスミッタ装置とレシーバー装置との間で、映像信号／音声信号の送受信や電力供給が可能な、ＨＤＢａｓｅＴ（登録商標）と称される伝送規格に準拠した電子機器が開発されている（特許文献１参照）。【０００３】
ＨＤＢａｓｅＴに準拠した電子機器は、トランスミッタ装置からＬＡＮケーブルを介して送信されてきた映像信号／音声信号をレシーバー装置にて受信し、受信した映像信号／音声信号を再生する。【０００４】
ＨＤＢａｓｅＴ伝送を使用したシステムでは、映像信号、ＵＡＲＴ、リモコン信号、ＬＡＮ信号、ＧＰＩＯ動作などをトランスミッタ装置のＩＣ（Ｉｎｔｅｇｒａｔｅｄ  Ｃｕｉｃｕｉｔ）に入力し、ＩＣ内部でＨＤＢａｓｅＴの信号フォーマットにエンコードして伝送し、レシーバー装置のＩＣ側で変換された信号を受信し、ＩＣ内部でデコードして各々の信号に分けられる。また、ＨＤＢａｓｅＴ伝送方式に対応したトランスミッタ装置やレシーバー装置のＩＣは、さらに、ＵＳＢ（Ｕｎｉｖｅｒｓａｌ  Ｓｅｒｉａｌ  Ｂｕｓ）信号を扱うＵＳＢ伝送方式に対応したものがある。【０００５】
ＵＳＢ信号を伝送可能な装置には、通常、メモリやマウスなどのＵＳＢ  ＤＥＶＩＣＥ（デバイス）機器が接続されるＵＳＢ−Ａ端子と、ＰＣ（Ｐｅｒｓｏｎａｌ  Ｃｏｍｐｕｔｅｒ）などのＵＳＢ  ＨＯＳＴ（ホスト）機器が接続されるＵＳＢ−Ｂ端子を有し、ＵＳＢ−Ａ端子とＵＳＢ−Ｂ端子のいずれか一方が使用される。ＵＳＢ−Ａ端子とＵＳＢ−Ｂ端子のどちらの端子を使用させるかは、装置の起動時に判別端子に設定されている電圧により決定される。判別端子の電圧は切り替えスイッチなどによりに設定される。【０００６】
ＵＳＢの信号を用いた伝送システムでは、ＵＳＢ  ＨＯＳＴ機器が制御する側として動作し、ＵＳＢ  ＤＥＶＩＣＥ機器が制御される側として動作する。ＵＳＢ  ＨＯＳＴ機器はＵＳＢの信号により、ＵＳＢ  ＤＥＶＩＣＥ機器を制御する。従って、ＵＳＢ  ＨＯＳＴ機器が接続される場合とＵＳＢ  ＤＥＶＩＣＥ機器が接続される場合とでは信号を処理する方法が異なることになり、制御（動作モード）を切り替える必要がある。【０００７】
ＵＳＢ信号が重畳されるＨＤＢａｓｅＴ伝送を使用したシステムでは、トランスミッタ装置、レシーバー装置のそれぞれが、電源起動時に上述した判別端子の電圧状態によってＵＳＢ処理動作を決定し、動作するファームウェアを切り替える設定を行う。例えば、トランスミッタ側がＵＳＢ  ＨＯＳＴ機器を接続するように設定し、レシーバー装置がＵＳＢ  ＤＥＶＩＣＥ機器を接続するように設定した場合、レシーバー装置に取り付けられたＵＳＢメモリなどのＵＳＢ  ＤＥＶＩＣＥ機器をトランスミッタ装置に接続されたＰＣなどのＵＳＢ  ＨＯＳＴ機器でデータ等を読み出すことができる。
【先行技術文献】
【特許文献】
【０００８】
【特許文献１】特開２０１５−１２６３２４号公報
【発明の開示】
【発明が解決しようとする課題】
【０００９】
ＨＤＢａｓｅＴの機器は、トランスミッタ装置、レシーバー装置がそれぞれ独立して個別に動作するものであるため、トランスミッタ装置とレシーバー装置の双方においてＵＳＢの動作モードを同じ設定とすることも可能となっている。トランスミッタ装置とレシーバー装置の双方がＵＳＢ  ＨＯＳＴ機器を接続する、または、ＵＳＢ  ＤＥＶＩＣＥ機器を接続する、という同じ設定になった場合、トランスミッタ装置に接続されたＵＳＢ機器（第１の外部装置）と、レシーバー装置に接続されたＵＳＢ機器（第２の外部装置）との間で、トランスミッタ装置とレシーバー装置を介したデータの伝送ができなくなる。【００１０】
本発明は、第１の伝送方式により伝送を行う機器にそれぞれ接続された外部装置間での、第２の伝送方式によるデータ伝送を行うことのできるデータ伝送システムおよびデータ伝送方法を実現する。
【課題を解決するための手段】
【００１１】
本発明によるデータ伝送システムは、第１の外部装置と第２の外部装置との間でデータを伝送するデータ伝送システムであって、
第１の伝送方式を用いて前記第１の外部装置と接続される第１の装置と、前記第１の伝送方式を用いて前記第２の外部装置と接続される第２の装置と、を有し
前記第１の装置は、前記第１の伝送方式と異なる第２の伝送方式を用いて前記第２の装置と接続されており、
前記第１の装置の前記第１の伝送方式に対する動作モードと、前記第２の装置の前記第１の伝送方式に対する動作モードとが異なるとき、前記第１の外部装置若しくは前記第２の外部装置が有しているデータが、前記第１の装置と前記第２の装置とを介して、前記第２の外部装置若しくは前記第１の外部装置にそれぞれ伝送される。【００１２】
本発明によるプロジェクタは、上記のデータ伝送システムの第１の装置および第２の装置のうち、少なくとも一つの装置が組み込まれている。【００１３】
本発明によるデータ伝送方法は、第１の外部装置と第２の外部装置との間でデータを伝送するデータ伝送方法であって、
第１の伝送方式を用いて前記第１の外部装置と第１の装置とを接続させ、
前記第１の伝送方式を用いて前記第２の外部装置と第２の装置とを接続させ、
前記第１の伝送方式と異なる第２の伝送方式を用いて前記第１の装置を前記第２の装置と接続させ、
前記第１の装置の前記第１の伝送方式に対する動作モードと、前記第２の装置の前記第１の伝送方式に対する動作モードとが異なるとき、前記第１の外部装置若しくは前記第２の外部装置が有するデータを、前記第１の装置と前記第２の装置とを介して、前記第２の外部装置若しくは前記第１の外部装置にそれぞれ伝送させる。
【発明の効果】
【００１４】
上記の構成を備える本発明では、第１の伝送方式により伝送を行う機器にそれぞれ接続された外部装置間での、第２の伝送方式によるデータ伝送を行うことができる。
【図面の簡単な説明】
【００１５】
【図１】ＨＤＢａｓｅＴで伝送される信号を示す図である。
【図２】図２はＨＤＢａｓｅＴシステムの一例を示す図である。
【図３】ＨＤＢａｓｅＴシステムの概略構成を示すブロック図である。
【図４Ａ】本発明による第１の実施形態の要部構成を示すブロック図である。
【図４Ｂ】図４Ａに記載の第１の装置および第２の装置の要部構成を示すブロック図である。
【図５】本発明による第１の実施形態の要部構成を示すブロック図である。
【図６】本発明による第１の実施形態の要部構成を示すブロック図である。
【図７】制御部４０１で行われる制御動作を示すフローチャートである。
【図８】本発明による第２の実施形態の要部構成を示すブロック図である。
【図９】本発明による第２の実施形態の要部構成を示すブロック図である。
【図１０】本発明による第３の実施形態の要部構成を示すブロック図である。
【図１１】本発明による第３の実施形態の要部構成を示すブロック図である。
【発明を実施するための形態】
【００１６】
次に、本発明の実施形態について図面を参照して説明する。
【００１７】
図１は、ＨＤＢａｓｅＴを用いて伝送される信号を示す図である。トランスミッタ装置に設けられたトランスミッタ部１にて映像信号／音声信号（ＴＭＤＳ）、リモコン信号（ＩＲ）、ＲＳ−２３２Ｃ信号（ＵＡＲＴ）、Ｅｔｈｅｒｎｅｔ（登録商標）信号（ＬＡＮ）、ＵＳＢ信号を入力し、これらをＬＡＮ線３上で伝送できるように変換する。一方、レシーバー装置に設けられたレシーバー部２ではトランスミッタ部１で変換され、ＬＡＮ線３を介して伝送された信号から各信号を復調する。
【００１８】
ＨＤＢａｓｅＴシステムではトランスミッタ部１、レシーバー部２に、ＵＳＢのＨＯＳＴ機器を接続する機能及びＤＥＶＩＣＥ機器を接続する機能を設けたものもある。ＨＤＢａｓｅＴの使用方法としては、トランスミッタ部１とレシーバー部２の間をＬＡＮ線３で接続し、ＬＡＮ線３を長くすることによりあたかも延長機器（中継機器）の様に動作させることができる。
【００１９】
ＨＤＢａｓｅＴ伝送方式を用いてＵＳＢ信号を伝送する場合、一方の機器の動作モードが、ＵＳＢ  ＨＯＳＴ機器が接続されるＵＳＢ  ＤＥＶＩＣＥ機として動作するものであれば、他方の機器の動作モードは、ＵＳＢ  ＤＥＶＩＣＥ機器が接続されるＵＳＢ  ＨＯＳＴ機として動作させる必要がある。双方の機器が同じ設定で動作した場合、ＵＳＢ  ＨＯＳＴ機同士またはＵＳＢ  ＤＥＶＩＣＥ機同士として動作させることになり、ＵＳＢのデータ伝送はできなくなる。
【００２０】
図２はＨＤＢａｓｅＴシステムの一例を示す図である。トランスミッタ装置４は単独で動作する。レシーバー装置はプロジェクタ５に組み込まれている。
【００２１】
図３は、ＨＤＢａｓｅＴシステムの概略構成を示すブロック図であり、ＵＳＢが搭載されたＨＤＢａｓｅＴのシステムのＵＳＢ信号の伝送部分が示されている。
【００２２】
トランスミッタ部４３、レシーバー部５３の内部にはＵＳＢ  ＨＯＳＴ機、ＵＳＢ  ＤＥＶＩＣＥ機として動作するための機能のいずれも備えられている。トランスミッタ部４３、レシーバー部５３が、どちらの動作モードを用いて動作するかは、スイッチ部４１，５１に設けられた、外部より設定可能な、例えばディップスイッチにより設定された電圧で決定される。トランスミッタ部４３、レシーバー部５３は、その電圧情報をトランスミッタ部４３、レシーバー部５３が備える端子を用いて検出する。トランスミッタ部４３、レシーバー部５３は、例えばトランスミッタ部４３、レシーバー部５３のリセット（ＲＥＳＥＴ）が解除されたときに端子の電圧を確認することで、トランスミッタ部４３、レシーバー部５３は内部で起動するファームウェアを切り替えることにより動作モードが決定される。
【００２３】
しかしながら、外部より設定可能なスイッチ部４１，５１により設定された電圧によってトランスミッタ部４３、レシーバー部５３のそれぞれが動作モードを決定するため、スイッチ部４１，５１の設定によってはトランスミッタ部４３、レシーバー部５３が同じ動作モードを設定することもある。この場合、トランスミッタ装置にＵＳＢスイッチ４２を介して接続されたＵＳＢ機器（第１の外部装置）と、レシーバー装置にＵＳＢスイッチ５２を介して接続されたＵＳＢ機器（第２の外部装置）との間で、トランスミッタ装置とレシーバー装置を介したデータの伝送ができなくなる。
【００２４】
第１の実施形態
図４Ａは、本発明による第１の実施形態の要部構成を示すブロック図である。また、図４Ｂは、図４Ａに記載の第１の装置および第２の装置の要部構成を示すブロック図である。
【００２５】
図４Ａに示されるシステムは、第１の装置１０１、第２の装置２０１、第１の外部装置１０４、および、第２の外部装置２０４から構成され、第１の外部装置１０４と第２の外部装置２０４との間でデータを伝送するデータ伝送システムである。
【００２６】
第１の装置１０１は、第１の伝送方式であるＵＳＢ伝送方式を用いて第１の外部装置１０４と接続される第１の通信部１０２と、第１の通信部１０２のＵＳＢ伝送方式についての動作モードを示す第１の設定信号を第１の通信部１０２に出力する設定信号出力部１０３とを備えている。
【００２７】
第２の装置１０２は、ＵＳＢ伝送方式を用いて第２の外部装置２０４と接続される第２の通信部２０２と、第２の通信部２０２のＵＳＢ伝送方式についての動作モードを設定する制御部２０３とを備えている。
【００２８】
第１の通信部１０２と第２の通信部２０２は、ＵＳＢ伝送方式と異なる第２の伝送方式であるＨＤＢａｓｅＴを用いて接続されている。
【００２９】
図３に示したシステムでは、トランスミッタ装置４、レシーバー装置５のそれぞれに設けられていた動作モードを設定するための設定信号出力部としてのスイッチ部がトランスミッタ装置４００、レシーバー装置５００の一方に配置される。図４Ｂに示す例ではレシーバー装置５００にスイッチ部５０１が配置されている。
【００３０】
本実施形態において、トランスミッタ装置４００は、制御部４０１、ＵＳＢスイッチ部（ＵＳＢ＿ＳＷ）４０２、トランスミッタ部４０３、リセット（ＲＥＳＥＴ）部４０４、ＵＳＢ−Ａ端子４０５、ＵＳＢ−Ｂ端子４０６を備えている。トランスミッタ装置４００は図４Ａにおける第２の装置２０１に相当し、制御部４０１とリセット（ＲＥＳＥＴ）部４０４が図４Ａにおける制御部２０３に相当し、ＵＳＢスイッチ部（ＵＳＢ＿ＳＷ）４０２、トランスミッタ部４０３、および、ＵＳＢ−Ａ端子４０５、ＵＳＢ−Ｂ端子４０６は図４Ａにおける第２の通信部２０２に相当する。
【００３１】
レシーバー装置５００は、スイッチ部５０１、ＵＳＢスイッチ部（ＵＳＢ＿ＳＷ）５０２、レシーバー部５０３、ＵＳＢ−Ａ端子５０４、ＵＳＢ−Ｂ端子５０５を備えている。レシーバー装置５００は図４Ａにおける第１の装置１０１に相当し、スイッチ部５０１は図４Ａにおける設定信号出力部１０３に相当し、ＵＳＢスイッチ部（ＵＳＢ＿ＳＷ）５０２、レシーバー部５０３、ＵＳＢ−Ａ端子５０４、および、ＵＳＢ−Ｂ端子５０５は図４Ａにおける第１の通信部１０２に相当する。
【００３２】
なお、トランスミッタ装置４００およびレシーバー装置５００のうち、少なくとも一方の装置がプロジェクタに組み込まれてもよい。
【００３３】
レシーバー装置５００は第１の装置の一例である。トランスミッタ装置４００は第２の装置の一例である。レシーバー部５０３は第１の通信部の一例である。トランスミッタ部４０３は第２の通信部の一例である。スイッチ部５０１は、設定信号出力部の一例である。ＵＳＢ端子を備える、ＰＣまたはＵＳＢメモリは、外部装置の一例である。ＵＳＢは、第１の伝送方式の一例である。ＨＤＢａｓｅＴは、第２の伝送方式の一例である。ＵＳＢスイッチ部４０２、５０２は、端子選択部の一例である。ＵＳＢ−Ａ端子４０５、５０４およびＵＳＢ−Ｂ端子４０６、５０５は、ＵＳＢ伝送方式のそれぞれの動作モードに対応する端子の一例である。また、ＵＳＢ−Ａ端子とＵＳＢ−Ｂ端子とはＵＳＢ端子と記載されることもある。
【００３４】
レシーバー装置５００のスイッチ部５０１で設定されたＨｉｇｈまたはＬｏｗレベルの電圧の設定信号（第１の設定信号）は、レシーバー部５０３のＵＳＢの動作モードを設定するためのＲＣＶ＿ＵＳＢ＿ＩＤ端子に入力される。この設定信号がリセット（ＲＥＳＥＴ）解除時に読みこまれ、レシーバー部５０３では内部で動作させるファームウェアをＵＳＢ  ＨＯＳＴ機用のファームウェアで動作させるか、ＵＳＢ  ＤＥＶＩＣＥ機用のファームウェアで動作させるかを確定する。設定信号はＲＣＶ＿ＧＰＩＯ４端子にも入力される。リセット（ＲＥＳＥＴ）信号はパワーオンリセット信号やリセット信号を作成するための専用デバイスによるリセット出力などを利用することができる。リセット（ＲＥＳＥＴ）信号はレシーバー部５０３のリセット保持期間を満足するものであればどの方法によるものでも構わない。レシーバー部５０３は、リセット信号を入力することによりリセットされる。
【００３５】
トランスミッタ装置４００は、トランスミッタ部４０３とレシーバー部５０３との間で、ＨＤＢａｓｅＴ伝送方式により映像やＵＡＲＴなどの信号が通信できるリンクアップ状態になると、レシーバー部５０３のＲＣＶ＿ＧＰＩＯ４端子に対応するトランスミッタ部４０３のＴＲＣ＿ＧＰＩＯ４端子に、ＲＣＶ＿ＧＰＩＯ４端子に入力された設定信号と同電位（同じ状態）の信号を出力する。なお、トランスミッタ部４０３のＴＲＣ＿ＧＰＩＯ４端子と、レシーバー装置５００のＲＣＶ＿ＧＰＩＯ４端子とは、予め対応する端子として設定されており、リンクアップ状態になると、トランスミッタ部４０３のＴＲＣ＿ＧＰＩＯ４端子は、レシーバー装置５００のＲＣＶ＿ＧＰＩＯ４端子と同じ設定状態（ＨｉｇｈまたはＬｏｗ）になる。すなわち、レシーバー部５０３は第１の設定信号に対応する動作モードに設定され、レシーバー部５０３に設定されるＵＳＢの動作モードを示す第２の設定信号を生成し、ＨＤＢａｓｅ−Ｔを用いてトランスミッタ部４０３に通知する。トランスミッタ部４０３は、受け取った第２の設定信号を端子に出力する。また、設定によって、レシーバー装置５００のＲＣＶ＿ＧＰＩＯ４端子は、トランスミッタ部４０３のＴＲＣ＿ＧＰＩＯ４端子と同じ状態（ＨｉｇｈまたはＬｏｗ）になるようにすることもできる。ＴＲＣ＿ＧＰＩＯ４端子から出力された信号は、レシーバー部５０３で設定したＲＣＶ＿ＵＳＢ＿ＩＤと同電位（同じ状態）であるため、制御部４０１がその電位（状態）を読み出すことで、レシーバー部５０３で設定されたＵＳＢの設定値（動作モード）を知ることができる。制御部４０１はＩ２Ｃバスを介してトランスミッタ部４０３と接続され、トランスミッタ部４０３の状態を読み出してリンクアップ状態になったかを確認する。なお、トランスミッタ部４０３は、リセット信号を入力することによりリセットされる。
【００３６】
ＵＳＢスイッチ部４０２は、トランスミッタ部４０３の動作モードに応じて使用するＵＳＢ端子を選択する。ＵＳＢスイッチ部５０２は、レシーバー部５０３の動作モードに応じて使用するＵＳＢ端子を選択する。
【００３７】
トランスミッタ部４０３またはレシーバー部５０３がＵＳＢ  ＤＥＶＩＣＥ機として動作する動作モードの場合、例えば、ＰＣ等のＵＳＢ  ＨＯＳＴ機能を持った機器（ＵＳＢ  ＨＯＳＴ機器）がトランスミッタ部４０３またはレシーバー部５０３にＵＳＢ端子を介して接続される。ＵＳＢ  ＨＯＳＴ機器はＵＳＢ−Ａ端子を使用するためＵＳＢスイッチ部４０２、５０２はＵＳＢ−Ｂ端子を選択する。換言すると、ＵＳＢスイッチ部４０２は、トランスミッタ部４０３がＵＳＢ  ＤＥＶＩＣＥ機として動作する動作モードの場合、ＵＳＢ−Ｂ端子を有効とする。ＵＳＢスイッチ部５０２は、レシーバー部５０３がＵＳＢ  ＤＥＶＩＣＥ機として動作する動作モードの場合、ＵＳＢ−Ｂ端子を有効とする。ＵＳＢ  ＨＯＳＴ機として動作する動作モードおよびＵＳＢ  ＤＥＶＩＣＥ機として動作する動作モードは、ＵＳＢ伝送方式に対応する動作モードの一例である。
【００３８】
一方、トランスミッタ部４０３またはレシーバー部５０３がＵＳＢ  ＨＯＳＴ機として動作する動作モードの場合、例えば、ＵＳＢメモリなどのＵＳＢ  ＤＥＶＩＣＥ機能を持った機器（ＵＳＢ  ＤＥＶＩＣＥ機器）がトランスミッタ部４０３またはレシーバー部５０３にＵＳＢ端子を介して接続される。ＵＳＢ  ＤＥＶＩＣＥ機器はＵＳＢ−Ｂ端子を使用するため、ＵＳＢスイッチ部４０２、５０２はＵＳＢ−Ａ端子を選択する。換言すると、ＵＳＢスイッチ部４０２は、トランスミッタ部４０３がＵＳＢ  ＨＯＳＴ機として動作する動作モードの場合、ＵＳＢ−Ａ端子を有効とする。ＵＳＢスイッチ部５０２は、レシーバー部５０３がＵＳＢ  ＨＯＳＴ機として動作する動作モードの場合、ＵＳＢ−Ａ端子を有効とする。
【００３９】
リセット部４０４は、外部からのＨｉｇｈ信号の入力によりリセット信号を発生するもので、これによりリセットをかけることができる。一例としてリセット（ＲＥＳＥＴ）信号ラインにトランジスタのコレクタを接続し、トランジスタのベースに制御部４０１が出力するＴＲＣ＿ＭＲＳＴの信号を接続し、Ｈｉｇｈ信号を出力することでリセット信号ラインをＬｏｗにすることで規定時間リセットをかける回路構成になっている。
【００４０】
図５および図６のそれぞれは、レシーバー装置５００のスイッチ部５０１をＨｉｇｈレベルおよびＬｏｗレベルに設定した際の、ＵＳＢ信号の伝送状態を示すブロック図である。
【００４１】
図５に示すように、レシーバー装置５００のスイッチ部５０１にＬｏｗレベルが設定され、レシーバー部５０３のＲＣＶ＿ＵＳＢ＿ＩＤ端子がＬｏｗレベルの場合、レシーバー部５０３はＵＳＢ  ＨＯＳＴ機能を持った機器として動作するようにファームウェアを起動する。また、スイッチ部５０１の出力はＵＳＢスイッチ部５０２に入力される。ＵＳＢスイッチ部５０２は、レシーバー部５０３にＵＳＢ  ＤＥＶＩＣＥ機能を持った機器が接続できるように、ＵＳＢ−Ａ端子５０４を有効とする。また、スイッチ部５０１の出力はレシーバー部５０３のＲＣＶ＿ＧＰＩＯ４端子に入力される。
【００４２】
一方、トランスミッタ装置４００の制御部４０１は、起動すると、ＵＳＢ動作モードの設定出力の初期設定としてトランスミッタ部４０３のＴＲＣ＿ＵＳＢ＿ＩＤ端子にＨｉｇｈレベルを出力する。ＴＲＣ＿ＵＳＢ＿ＩＤ端子がＨｉｇｈレベルの場合、トランスミッタ部４０３はＵＳＢ  ＤＥＶＩＣＥ機能を持った機器として動作するようにファームウェアを起動する。この後、トランスミッタ４０３がレシーバー部５０３とリンクアップ状態になると、トランスミッタ部４０３のＴＲＣ＿ＧＰＩＯ４端子から、Ｌｏｗレベルが出力される。制御部４０１は、ＴＲＣ＿ＧＰＩＯ４端子からの信号がＬｏｗレベルであり、起動したときにＴＲＣ＿ＵＳＢ＿ＩＤ端子に出力したＨｉｇｈレベルと異なり、各装置の動作モードが異なること、すなわち、ＵＳＢ信号の伝送が可能なことを示すものであるため、制御信号としてのＴＲＣ＿ＵＳＢ＿ＩＤ端子へのＨｉｇｈレベルを保持し続け、ＴＲＣ＿ＭＲＳＴ端子からの出力は行わない。この結果、トランスミッタ装置４００のトランスミッタ部４０３ではＵＳＢ  ＤＥＶＩＣＥ機能を持った機器として動作する。また、制御部４０１から出力されるＵＳＢ動作モードの設定出力はＵＳＢスイッチ部４０２に入力される。ＵＳＢスイッチ部４０２は、トランスミッタ部４０３にＵＳＢ  ＨＯＳＴ機能を持った機器が接続できるように、ＵＳＢ−Ｂ端子４０６を有効とする。
【００４３】
図６に示すように、レシーバー装置５００のスイッチ部５０１にＨｉｇｈレベルが設定され、レシーバー部５０３のＲＣＶ＿ＵＳＢ＿ＩＤ端子がＨｉｇｈレベルの場合、レシーバー部５０３はＵＳＢ  ＤＥＶＩＣＥ機能を持った機器として動作するようにファームウェアを起動する。また、スイッチ部５０１の出力はＵＳＢスイッチ部５０２に入力される。ＵＳＢスイッチ部５０２は、レシーバー部５０３にＵＳＢ  ＨＯＳＴ機能を持った機器が接続できるように、ＵＳＢ−Ｂ端子５０５を有効とする。ＵＳＢ−Ｂ端子５０５にＰＣ等が接続される。また、スイッチ部５０１の出力はレシーバー部５０３のＲＣＶ＿ＧＰＩＯ４端子に入力される。
【００４４】
一方、トランスミッタ装置４００の制御部４０１は、起動時にはすると、ＵＳＢ動作モードの設定出力の初期設定としてトランスミッタ部４０３のＴＲＣ＿ＵＳＢ＿ＩＤ端子にＨｉｇｈレベルを出力する。ＴＲＣ＿ＵＳＢ＿ＩＤ端子がＨｉｇｈレベルの場合、トランスミッタ部４０３はＵＳＢ  ＤＥＶＩＣＥ機能を持った機器として動作するようにファームウェアを起動する。この後、トランスミッタ部４０３がレシーバー部５０３とリンクアップ状態になると、トランスミッタ部４０３のＴＲＣ＿ＧＰＩＯ４端子からＨｉｇｈレベルが出力される。制御部４０１は、ＴＲＣ＿ＧＰＩＯ４端子からの信号がＨｉｇｈレベルであり、起動時にＴＲＣ＿ＵＳＢ＿ＩＤ端子に出力したＨｉｇｈレベルと同じものであり、各装置の動作モードが同じこと、すなわち、ＵＳＢ信号の伝送が不可能なことを示すものであるため、制御信号としてのＴＲＣ＿ＵＳＢ＿ＩＤ端子への出力をＬｏｗレベルに切り替え、ＴＲＣ＿ＭＲＳＴ端子からＲＥＳＥＴ期間分Ｈｉｇｈレベルの信号を出力する。この結果、トランスミッタ部４０３はリセットされ、一時、トランスミッタ装置部４０３とレシーバー部５０３はＨＤＢａｓｅＴ伝送方式による映像やＵＡＲＴなどの信号が通信できないリンクダウン（Ｌｉｎｋ Ｄｏｗｎ）状態となる。トランスミッタ部４０３はリセットされた後、ＴＲＣ＿ＵＳＢ＿ＩＤ端子がＬｏｗレベルの場合、トランスミッタ部４０３はＵＳＢ  ＨＯＳＴ機能を持った機器として動作するようにファームウェアを起動する。この後、トランスミッタ部４０３がレシーバー部５０３とリンクアップ状態になると、トランスミッタ部４０３のＴＲＣ＿ＧＰＩＯ４端子からは、Ｈｉｇｈレベルが出力される。制御部４０１は、ＴＲＣ＿ＧＰＩＯ４端子からの信号がＨｉｇｈレベルであり、リセットしたときにＴＲＣ＿ＵＳＢ＿ＩＤ端子に出力したＬｏｗレベルと異なり、各装置の動作モードが異なること、すなわち、ＵＳＢ信号の伝送が可能なことを示すものであるため、制御信号としてのＴＲＣ＿ＵＳＢ＿ＩＤ端子へのＬｏｗレベルを保持し続け、ＴＲＣ＿ＭＲＳＴ端子からの出力は行わない。この結果、トランスミッタ装置４００のトランスミッタ部４０３ではＵＳＢ  ＨＯＳＴ機能を持った機器として動作する。また、制御部４０１から出力されるＵＳＢ動作モードの設定出力はＵＳＢスイッチ部４０２に入力される。ＵＳＢスイッチ部４０２は、トランスミッタ部４０３にＵＳＢ  ＤＥＶＩＣＥ機能を持った機器が接続できるように、ＵＳＢ−Ａ端子４０５を有効とする。
【００４５】
図７は、制御部４０１で行われる制御動作を示すフローチャートである。
【００４６】
制御部４０１は、ＵＳＢ動作モードの初期設定としてＴＲＣ＿ＵＳＢ＿ＩＤ端子にＨｉｇｈレベルを設定する（ステップＳ１）。これにより、トランスミッタ装置４００（トランスミッタ部４０３）は、一度ＵＳＢ  ＨＯＳＴ機器がつながる状態で起動することになる。次に、制御部４０１に設けられた、前回のＴＲＣ＿ＵＳＢ＿ＩＤ値を保持するレジスタ：ＰＲＥ＿ＧＰＩＯ＿ＲＥＧを１にセットする（ステップＳ２）。
【００４７】
次に、制御部４０１は、Ｉ２Ｃバスにより、トランスミッタ部４０３の状態を読み出して(ステップＳ３)、リンクアップ状態となったかを確認する(ステップＳ４)。
【００４８】
ステップＳ３およびＳ４における具体的な動作としては、制御部４０１は、リンクアップしたかどうかを、Ｉ２Ｃバスを介してコマンドを発行し、トランスミッタ部４０３の状態を読み出すことで、ＨＤＢａｓｅＴとして動作しているかどうかを確認することができる。リンクアップしていなければ（Ｓ４：Ｎｏ）、制御部４０１は、定期的に再度読み出しコマンドを発行して、リンクアップ状態になるまで読み出し状態を続ける。連続して読み込まず確認した後、少し時間、例えば１秒をおいて読み出してもよい。
【００４９】
ステップＳ４において、リンクアップ状態になる（Ｓ４：Ｙｅｓ）と、レシーバー部５０３のＲＣＶ＿ＧＰＩＯ４端子に入力した電圧がトランスミッタ部４０４のＴＲＣ＿ＧＰＩＯ４端子に出力されるため、制御部４０１は、その電圧値（設定状態）を読み出す（ステップＳ５）。これは図４Ｂに示したように、ＴＲＣ＿ＧＰＩＯ４端子が回路的に制御部４０１のＧＰＩＯ端子に接続されているため、制御部４０１はこの値を読み出す。読み出した値がＬｏｗレベルであった場合、制御部４０１は、現在のＴＲＣ＿ＧＰＩＯ４の値を表すＧＰＩＯ＿ＲＥＧに代入値０を代入する。Ｈｉｇｈレベルであった場合、制御部４０１は、ＧＰＩＯ＿ＲＥＧに１を代入する（ステップＳ６）。
【００５０】
続いて、制御部４０１は、前回のＴＲＣ＿ＵＳＢ＿ＩＤを表すＰＲＥ＿ＧＰＩＯ＿ＲＥＧと現在のＴＲＣ＿ＧＰＩＯ４の値を比較判定する（ステップＳ７）。判定で本レジスタの値が異なる場合（Ｓ７：Ｙｅｓ）、トランスミッタ装置４００（トランスミッタ部４０３）の動作モードとレシーバー装置５００（レシーバー部５０３）の動作モードが異なる状態（動作モード）で動作していること、すなわち、ＵＳＢ信号の伝送が可能なことを示すものであるため、制御部４０１は、ＵＳＢの設定処理を終了とする。この場合トランスミッタ側装置４００（トランスミッタ部４０３）がＵＳＢ  ＤＥＶＩＣＥ機、レシーバー装置５００（レシーバー部５０３）がＵＳＢ  ＨＯＳＴ機となって図５に示した接続状態で動作することになる。
【００５１】
ステップＳ７における判定で、ＰＲＥ＿ＧＰＩＯ＿ＲＥＧとＧＰＩＯ＿ＲＥＧが同じ値の場合（Ｓ７：Ｎｏ）、トランスミッタ装置４００（トランスミッタ部４０３）とレシーバー装置５００（レシーバー部５０３）の動作モードが同じ状態（動作モード）で動作していること、すなわち、ＵＳＢ信号の伝送が不可能なことを示すものであるため、制御部４０１は、トランスミッタ装置４００のＴＲＣ＿ＵＳＢ＿ＩＤを変更する動作に移行する。
【００５２】
まず、制御部４０１は、前回の設定値としてＰＲＥ＿ＧＰＩＯ＿ＲＥＧに現在のＴＲＣ＿ＧＰＩＯ４の値を代入する（ステップＳ８）。その後制御部４０１は、ＴＲＣ＿ＵＳＢ＿ＩＤの値を前回設定した電圧とは逆、例えば、前回Ｈｉｇｈレベルを設定していれば、Ｌｏｗレベル、Ｌｏｗレベルであれば、Ｈｉｇｈレベルを設定する（ステップＳ９）。
【００５３】
本実施形態では、ステップＳ８にて設定変更したＴＲＣ＿ＵＳＢ＿ＩＤの値は、トランスミッタ部４０３が起動するときのみに検出するように設定されているため、トランスミッタ部４０３をリセットして再起動する必要がある。従って、制御部４０１は、まず、ＴＲＣ＿ＭＲＳＴ端子をＨｉｇｈにし（ステップＳ１０）、トランスミッタ部４０３のＲＥＳＥＴ端子をＬｏｗレベルにする。続いて、制御部４０１は、トランスミッタ部４０３をリセットするために必要とされるリセット保持時間以上待ち（ステップＳ１１）、ＴＲＣ＿ＭＲＳＴをＬｏｗに戻す（ステップＳ１２）ことで、トランスミッタ部４０３のリセット状態を解除する。トランスミッタ部４０３がリセットされると、トランスミッタ装置４００とレシーバー装置５００はリンクダウン状態となるため、リンクアップ状態であるかを確認するためにステップＳ３に戻り、上記の動作を繰り返す。
【００５４】
上記の制御を実行することで、トランスミッタ装置４００（トランスミッタ部４０３）とレシーバー装置５００（レシーバー部５０３）とを異なるＵＳＢ機能を行う設定状態とすることができる。
【００５５】
例えば、レシーバー装置５００（レシーバー部５０３）がＵＳＢ  ＤＥＶＩＣＥ機として動作する動作モードとして設定され、ＵＳＢ  ＨＯＳＴ機であるＰＣとお互いのＵＳＢ端子を介して接続され、トランスミッタ装置４００（トランスミッタ部４０３）がＵＳＢ  ＨＯＳＴ機として動作する動作モードとして設定され、ＵＳＢ  ＤＥＶＩＣＥ機であるＵＳＢメモリとお互いのＵＳＢ端子を介して接続されている場合、次のように動作することで、ＰＣとＵＳＢメモリとの間のデータ伝送が可能になる。
【００５６】
ＰＣとレシーバー装置５００とは、それぞれＵＳＢ  ＨＯＳＴ機、ＵＳＢ  ＤＥＶＩＣＥ機として機能し、ＵＳＢを用いて接続されているので、ＰＣとレシーバー装置５００との間のデータ伝送が可能である。また、レシーバー装置５００とトランスミッタ装置４００とは、ＨＤＢａｓｅＴを用いて接続されているので、レシーバー装置５００とトランスミッタ装置４００との間のデータ伝送が可能である。さらに、トランスミッタ装置４００とＵＳＢメモリとは、それぞれＵＳＢ  ＨＯＳＴ機、ＵＳＢ  ＤＥＶＩＣＥ機として機能し、ＵＳＢを用いて接続されているので、トランスミッタ装置４００とＵＳＢメモリとの間のデータ伝送が可能である。すなわち、ＰＣとＵＳＢメモリとの間のデータ伝送が可能になる。
【００５７】
仮に、トランスミッタ装置４００が、レシーバー装置５００と同じＵＳＢ  ＤＥＶＩＣＥ機として機能している場合、トランスミッタ装置４００は、ＵＳＢ  ＨＯＳＴ機と接続され、トランスミッタ装置４００とＵＳＢ  ＨＯＳＴ機とのデータ伝送は可能になる。しかし、この場合、ＵＳＢ  ＨＯＳＴ機であるＰＣと、トランスミッタ装置４００に接続されたＵＳＢ  ＨＯＳＴ機との間のデータ伝送はできない。
【００５８】
第２の実施形態
図８および図９は本発明による第２の実施形態の要部構成を示すブロック図である。
【００５９】
第１の実施形態では、レシーバー装置に動作モードを設定するためのスイッチを設けていたのに対し、本実施形態では、トランスミッタ装置に動作モードを設定するためのスイッチを設けている。
【００６０】
本実施形態において、トランスミッタ装置６００は、スイッチ部６０１、ＵＳＢスイッチ部（ＵＳＢ＿ＳＷ）６０２、トランスミッタ部６０３、ＵＳＢ−Ａ端子６０５、ＵＳＢ−Ｂ端子６０６を備えている。ＬＡＮ線３００を介してトランスミッタ装置６００と接続されるレシーバー装置７００は、制御部７０１、ＵＳＢスイッチ部（ＵＳＢ＿ＳＷ）７０２、レシーバー部７０３、リセット（ＲＥＳＥＴ）部７０６、ＵＳＢ−Ａ端子７０４、ＵＳＢ−Ｂ端子７０５を備えている。
【００６１】
トランスミッタ装置６００に設けられたスイッチ部６０１は、第１の実施形態においてレシーバー装置５００に設けられていたスイッチ部５０１と同様に動作し、レシーバー装置７００に設けられた、制御部７０１およびリセット部７０６も第１の実施形態においてトランスミッタ装置４００に設けられていた制御部４０１およびリセット部４０４と同様に動作する。
【００６２】
図８に示される状態では、スイッチ部６０１にＬｏｗレベルが設定され、トランスミッタ装置６００（トランスミッタ部６０３）がＵＳＢ  ＨＯＳＴ機、レシーバー装置７００（レシーバー部７０３）がＵＳＢ  ＤＥＶＩＣＥ機として動作する。
【００６３】
図９に示される状態では、スイッチ部６０１にＨｉｇｈレベルが設定され、トランスミッタ装置６００（トランスミッタ部６０３）がＵＳＢ  ＤＥＶＩＣＥ機、レシーバー装置７００（レシーバー部７０３）がＵＳＢ  ＨＯＳＴ機として動作する。
【００６４】
第３の実施形態
図１０および図１１は本発明による第３の実施形態の要部構成を示すブロック図である。
【００６５】
第１の実施形態および第２の実施形態では、スイッチ部を設けて動作モードの設定を切り替えていたが、本実施形態では、スイッチ部の代わりに、ユーザーインターフェース（ＵＩ）部８０７、第２制御部８０８を設けている。第２制御部８０８は、設定信号出力部の一例である。
【００６６】
本実施形態では、第１の実施形態で説明したトランスミッタ装置４００とレシーバー装置８００がＬＡＮ線３００を介して接続されている。
【００６７】
レシーバー装置８００は、ＵＳＢスイッチ部（ＵＳＢ＿ＳＷ）８０２、レシーバー部８０３、ＵＳＢ−Ａ端子８０４、ＵＳＢ−Ｂ端子８０５、ユーザーインターフェース部８０７、第２制御部８０８を備えている。
【００６８】
ＵＳＢスイッチ部８０２およびレシーバー部８０３の動作は第１の実施形態のＵＳＢスイッチ部５０２およびレシーバー部５０３と同様である。
【００６９】
ユーザーインターフェース部８０７は、オンスクリーンディスプレイなどの入力部を備え、該入力部への入力値を第２制御部８０８が読み出して、レシーバー部８０３のＵＳＢの動作モードを設定するＲＣＶ＿ＵＳＢ＿ＩＤの値を設定する。
【００７０】
図１０に示される状態では、ユーザーインターフェース部８０７および第２制御部８０８によりＲＣＶ＿ＵＳＢ＿ＩＤ端子にＬｏｗレベルが設定され、トランスミッタ装置４００（トランスミッタ部４０３）がＵＳＢ  ＤＥＶＩＣＥ機、レシーバー装置８００（レシーバー部８０３）がＵＳＢ  ＨＯＳＴ機として動作する。
【００７１】
図１１に示される状態では、ユーザーインターフェース部８０７および第２制御部８０８によりＲＣＶ＿ＵＳＢ＿ＩＤ端子にＨｉｇｈレベルが設定され、トランスミッタ装置４００（トランスミッタ部４０３）がＵＳＢ  ＨＯＳＴ機、レシーバー装置８００（レシーバー部８０３）がＵＳＢ  ＤＥＶＩＣＥ機として動作する。
【００７２】
本実施形態においても、第２の実施形態のように、トランスミッタ装置に動作モードの設定を切り替えるためのユーザーインターフェース部および第２制御部を設け、レシーバー装置に制御部およびリセット部を設けることとしてもよい。
【００７３】
第１、第２および第３の実施形態では、設定信号出力部が出力する第１の設定信号を、トランスミッタ部が備えるＧＰＩＯ端子とレシーバー部が備えるＧＰＩＯ端子を介して、第２の設定信号として制御部に通知している。また、これらの形態において、第１の設定信号と第２の設定信号を同じ信号としているが、これに限定されない。例えば、第１の装置が、第１の通信部と、第１の通信部のＵＳＢ動作モードを設定する第１の設定信号を出力する設定信号出力部を備え、第２の装置が、第２の通信部と、第２の通信部のＵＳＢ動作モードを設定する制御部とを備える場合、第２の設定信号は、第１、第２および第３の実施形態と同様に第１の通信部に設定されるＵＳＢの動作モードを示す信号でもよい。また、第２の設定信号は、第２の通信部に設定されるＵＳＢの動作モードを示す信号でもよい。第２の設定信号が示す内容に応じて、制御部が第２の通信部に設定されるＵＳＢの動作モードを設定する。
【００７４】
また、第１、第２および第３の実施形態では、動作モードに対応して端子の形状が異なるＵＳＢ−Ａ端子とＵＳＢ−Ｂ端子とを用いて説明したが、動作モードに関係なく端子の形状が同じであってもよい。この場合、端子をそれぞれ１つ備え、端子を選択するＵＳＢ−ＳＷ４０２、５０２などの端子選択部は削除できる。
【００７５】
ユーザ選択にて一方のＵＳＢの動作を確定することにより、各々で設定して同じモードで動作する問題を回避でき、安定して動作させることができる。
【００７６】
以上説明した各実施形態において、図示した構成は単なる一例であって、本発明はその構成に限定されるものではない。
【００７７】
上記の実施形態の一部又は全部は、以下のようにも記載されうるが、以下の構成には限られない。
（付記１）  第１の外部装置と第２の外部装置との間でデータを伝送するデータ伝送システムであって、
第１の伝送方式を用いて前記第１の外部装置と接続される第１の装置と、前記第１の伝送方式を用いて前記第２の外部装置と接続される第２の装置と、を有し、
前記第１の装置は、前記第１の伝送方式と異なる第２の伝送方式を用いて前記第２の装置と接続されており、
前記第１の装置の前記第１の伝送方式に対する動作モードと、前記第２の装置の前記第１の伝送方式に対する動作モードとが異なるとき、前記第１の外部装置若しくは前記第２の外部装置が有しているデータが、前記第１の装置と前記第２の装置とを介して、前記第２の外部装置若しくは前記第１の外部装置にそれぞれ伝送されるデータ伝送システム。
（付記２）  前記第１の外部装置若しくは前記第２の外部装置が有しているデータが、前記第１の装置と前記第２の装置との間を前記第２の伝送方式で伝送される、付記１記載のデータ伝送システム。
（付記３）  前記第１の装置は、前記第１の外部装置および/又は前記第２の装置と接続する第１の通信部と、前記第１の通信部の前記第１の伝送方式についての前記動作モードを示す第１の設定信号を前記第１の通信部に出力する設定信号出力部と、を有し、
前記第２の装置は、前記第２の外部装置および/又は前記第１の装置と接続する第２の通信部と、前記第２の通信部の前記第１の伝送方式についての前記動作モードを設定する制御部と、を有し、
前記第１の通信部は、前記第２の通信部に設定される前記動作モードに対応する第２の設定信号を生成して前記第２の通信部に伝送し、
前記制御部は、前記第２の通信部を介して受け取った前記第２の設定信号に応じて、前記第２の通信部の前記動作モードを設定する、付記１または付記２に記載のデータ伝送システム。
（付記４）  前記動作モードは、第１の動作モードおよび第２の動作モードである、付記１ないし付記３のいずれか１項に記載のデータ伝送システム。
（付記５）  前記第１の装置は、
前記第１の動作モードに対応する第１の端子および前記第２の動作モードに対応する第２の端子と、
前記第１の端子および前記第２の端子のうち、前記第１の通信部に設定された動作モードに対応する端子を有効とする第１の端子選択部と、をさらに有し、
前記第２の装置は、
前記第１の動作モードに対応する第３の端子および前記第２の動作モードに対応する第４の端子と、
前記第３の端子および前記第４の端子のうち、前記第２の通信部に設定された動作モードに対応する端子を有効とする第２の端子選択部と、をさらに有する付記４に記載のデータ伝送システム。
（付記６）  前記第１の動作モードはＵＳＢ  ＨＯＳＴ機として動作するモードであり、
前記第２の動作モードはＵＳＢ  ＤＥＶＩＣＥ機として動作するモードである、付記４または５に記載のデータ伝送システム。
（付記７）  前記第１の装置と前記第２の装置とがＬＡＮケーブルを用いて接続される、付記１ないし付記６のいずれか１項に記載の伝送システム。
（付記８）  前記第２の伝送方式はＨＤＢａｓｅＴであり、前記第１の通信部若しくは前記第２の通信部のいずれか一方がトランスミッタ部、他方はレシーバー部である、付記３ないし付記７のいずれか１項に記載の伝送システム。
（付記９）  前記第１の設定信号と前記第２の設定信号とは同じ信号であり、
前記第２の通信部はレシーバー部であり、
前記制御部は、前記レシーバー部が備えるＧＰＩＯ端子を介して前記第２の設定信号を受け取り、前記第１の伝送方式について前記第２の通信部を前記第２の設定信号が示す動作モードと異なる動作モードにする、付記８に記載の伝送システム。
（付記１０）  付記１なし付記９のいずれか１項に記載の伝送システムの第１の装置および第２の装置のうち、少なくとも一つの装置が組み込まれたプロジェクタ。
（付記１１）  第１の外部装置と第２の外部装置との間でデータを伝送するデータ伝送方法であって、
第１の伝送方式を用いて前記第１の外部装置と第１の装置とを接続させ、
前記第１の伝送方式を用いて前記第２の外部装置と第２の装置とを接続させ、
前記第１の伝送方式と異なる第２の伝送方式を用いて前記第１の装置を前記第２の装置と接続させ、
前記第１の装置の前記第１の伝送方式に対する動作モードと、前記第２の装置の前記第１の伝送方式に対する動作モードとが異なるとき、前記第１の外部装置若しくは前記第２の外部装置が有するデータを、前記第１の装置と前記第２の装置とを介して、前記第２の外部装置若しくは前記第１の外部装置にそれぞれ伝送させる、データ伝送方法。
【符号の説明】
【００７８】
４００    トランスミッタ装置、
４０１    制御部
４０２，５０２    ＵＳＢスイッチ部
４０３    トランスミッタ部
４０４    リセット部
４０５，５０４ＵＳＢ−Ａ端子
４０６，５０５    ＵＳＢ−Ｂ端子
５００レシーバー装置
５０１    スイッチ部
５０３    レシーバー部
【図１】
2017149768.tif 000003
【図２】
2017149768.tif 000004
【図３】
2017149768.tif 000005
【図４Ａ】
2017149768.tif 000006
【図４Ｂ】
2017149768.tif 000007
【図５】
2017149768.tif 000008
【図６】
2017149768.tif 000009
【図７】
2017149768.tif 000010
【図８】
2017149768.tif 000011
【図９】
2017149768.tif 000012
【図１０】
2017149768.tif 000013
【図１１】
2017149768.tif 000014
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
第１の外部装置と第２の外部装置との間でデータを伝送するデータ伝送システムであって、
第１の伝送方式を用いて前記第１の外部装置と接続される第１の装置と、前記第１の伝送方式を用いて前記第２の外部装置と接続される第２の装置と、を有し、
前記第１の装置は、前記第１の伝送方式と異なる第２の伝送方式を用いて前記第２の装置と接続されており、
前記第１の装置の前記第１の伝送方式に対する動作モードと、前記第２の装置の前記第１の伝送方式に対する動作モードとが異なるとき、前記第１の外部装置若しくは前記第２の外部装置が有しているデータが、前記第１の装置と前記第２の装置とを介して、前記第２の外部装置若しくは前記第１の外部装置にそれぞれ伝送されるデータ伝送システム。
【請求項２】
前記第１の外部装置若しくは前記第２の外部装置が有しているデータが、前記第１の装置と前記第２の装置との間を前記第２の伝送方式で伝送される、請求項１記載のデータ伝送システム。
【請求項３】
前記第１の装置は、前記第１の外部装置および/又は前記第２の装置と接続する第１の通信部と、前記第１の通信部の前記第１の伝送方式についての前記動作モードを示す第１の設定信号を前記第１の通信部に出力する設定信号出力部と、を有し、
前記第２の装置は、前記第２の外部装置および/又は前記第１の装置と接続する第２の通信部と、前記第２の通信部の前記第１の伝送方式についての前記動作モードを設定する制御部と、を有し、
前記第１の通信部は、前記第２の通信部に設定される前記動作モードに対応する第２の設定信号を生成して前記第２の通信部に伝送し、
前記制御部は、前記第２の通信部を介して受け取った前記第２の設定信号に応じて、前記第２の通信部の前記動作モードを設定する、請求項１または請求項２に記載のデータ伝送システム。
【請求項４】
前記動作モードは、第１の動作モードおよび第２の動作モードである、請求項３に記載のデータ伝送システム。
【請求項５】
前記第１の装置は、
前記第１の動作モードに対応する第１の端子および前記第２の動作モードに対応する第２の端子と、
前記第１の端子および前記第２の端子のうち、前記第１の通信部に設定された動作モードに対応する端子を有効とする第１の端子選択部と、をさらに有し、
前記第２の装置は、
前記第１の動作モードに対応する第３の端子および前記第２の動作モードに対応する第４の端子と、
前記第３の端子および前記第４の端子のうち、前記第２の通信部に設定された動作モードに対応する端子を有効とする第２の端子選択部と、をさらに有する請求項４に記載のデータ伝送システム。
【請求項６】
前記第１の動作モードはＵＳＢ  ＨＯＳＴ機として動作するモードであり、
前記第２の動作モードはＵＳＢ  ＤＥＶＩＣＥ機として動作するモードである、請求項４または５に記載のデータ伝送システム。
【請求項７】
前記第２の伝送方式はＨＤＢａｓｅＴであり、前記第１の通信部若しくは前記第２の通信部のいずれか一方がトランスミッタ部、他方はレシーバー部である、請求項３ないし請求項６のいずれか１項に記載のデータ伝送システム。
【請求項８】
前記第１の設定信号と前記第２の設定信号とは同じ信号であり、
前記第２の通信部はレシーバー部であり、
前記制御部は、前記レシーバー部が備えるＧＰＩＯ端子を介して前記第２の設定信号を受け取り、前記第１の伝送方式について前記第２の通信部を前記第２の設定信号が示す動作モードと異なる動作モードにする、請求項７に記載のデータ伝送システム。
【請求項９】
前記第１の装置と前記第２の装置とがＬＡＮケーブルを用いて接続される、請求項１ないし請求項８のいずれか１項に記載のデータ伝送システム。
【請求項１０】
請求項１なし請求項９のいずれか１項に記載のデータ伝送システムの第１の装置および第２の装置のうち、少なくとも一つの装置が組み込まれたプロジェクタ。
【請求項１１】
第１の外部装置と第２の外部装置との間でデータを伝送するデータ伝送方法であって、
第１の伝送方式を用いて前記第１の外部装置と第１の装置とを接続させ、
前記第１の伝送方式を用いて前記第２の外部装置と第２の装置とを接続させ、
前記第１の伝送方式と異なる第２の伝送方式を用いて前記第１の装置を前記第２の装置と接続させ、
前記第１の装置の前記第１の伝送方式に対する動作モードと、前記第２の装置の前記第１の伝送方式に対する動作モードとが異なるとき、前記第１の外部装置若しくは前記第２の外部装置が有するデータを、前記第１の装置と前記第２の装置とを介して、前記第２の外部装置若しくは前記第１の外部装置にそれぞれ伝送させる、データ伝送方法。
【請求項１２】
請求項１なし請求項９のいずれか１項に記載のデータ伝送システムの第１の装置および第２の装置のうち、少なくとも一つの装置が組み込まれた電子機器。
【国際調査報告】
2017149768.tif 000015
2017149768.tif 000016